(57)【要約】【課題】  子扉および親扉の内側部に張設される、カバー部材は、回転扉が開閉されたときに、カバー部材の突条が損傷するようなことがなく、また、子扉および親扉間の隙間を閉塞する位置にカバー部材の突条の位置を設定することが容易な構造の回転折れ戸を提供する。【解決手段】  各カバー部材５０，５０の半円筒状外面には縦辺に沿って外部に突出する２つの突条５７ａ，５７ｂが幅方向の中心位置から左右に非対称に設けられ、前記第１の扉と第２の扉とが回動して開閉される動作において、前記各カバー部材の突条同士は非接触状態であり、前記両扉が閉じられて一鉛直面に配置された状態では、カバー部材の突条間の凹部に他方のカバー部材の突条が入り込み、互い違いの配置となって前記第１の扉５と第２の扉間４の隙間Ｓを閉塞するようにしたものである。【選択図】  図４
2006233417.tif 000002
【特許請求の範囲】
【請求項１】
第１の扉と第２の扉とが、一鉛直面に沿い相互に隣接して回動可能に連結されるとともに、該両扉の連結部分の近傍を中心に折畳み可能に構成され、縦長の扉連結用枠部材が前記第１の扉と第２の扉の連結側の縦辺に沿って取付けられ、該扉連結用枠部材の外側部に半円筒状の外周面を有するカバー部材が嵌め込まれる回転折れ戸において、
前記各カバー部材の半円筒状外面には縦辺に沿って外部に突出する２つの突条が幅方向の中心位置から左右に非対称の位置に設けられ、前記第１の扉と第２の扉とが回動して開閉される動作状態においては前記各カバー部材の突条同士が非接触状態であり、また前記両扉が閉じられて一鉛直面に配置されている状態では一方のカバー部材の突条間の凹部に他方のカバー部材の突条が入り込み、互い違いの配置となって前記第１の扉と第２の扉間の隙間を閉塞するようにしたことを特徴とする回転折れ戸。
【請求項２】
前記カバー部材はゴムまたは樹脂等の弾力性のある素材により形成されている請求項１に記載の回転折れ戸。
【発明の詳細な説明】
【技術分野】
【０００１】
本願発明は、第１の扉と第２の扉とが、一鉛直面に沿い相互に隣接して回動可能に連結されるとともに、該両扉の連結部分の近傍を中心に折畳み可能に構成された回転折れ戸に関するものである。以下の説明において、第２の扉は、第１の扉と比べて同じ幅または幅が狭い扉である。
【背景技術】
【０００２】
この種の回転折れ戸として、折畳み式回転扉３が、幅の狭い子扉４と幅の広い親扉５との組合せからなり、これら子扉４と親扉５とが、それらの一側において回動可能に連結され、これら両扉４、５が、縦長の門型扉枠体２に取り付けられた構造の折畳み式回転扉が提案されている。（特許文献１参照）
【０００３】
この折畳み式回転扉は、親子両扉の内側上下端部を相互に枢支した連結部材と、該連結部材の連結軸と同芯でかつ前記親子両扉に一体に結合されるとともに、相互に噛み合う同一寸法の一対の歯車対とからなる折畳み連結手段を有し、また、子扉および親扉の内側部に、カバー部材として半円筒状の外周面を有する中空召合せゴム体がそれぞれ張設され、該両中空召合せゴムの半円筒状外周面が対面するように配設されている。召合せゴム体には、さらに、その外方の半円筒状壁板の略中央部に、縦方向に突条が形成されている。この突条は、親扉の一側面（子扉との連結部側側面）に取り付けられる同様の召合せゴム体に形成された同様の突条と当接して係合し、回転扉が閉鎖されたとき、子扉と親扉との連結部を密封して、扉による部屋空間や廊下等の閉鎖、遮断を行なうように形成されている。なお、親扉に形成される突条は、子扉側の召合せゴム体に形成される突条と係合し合うように、それぞれ対称の位置に形成されている。
【特許文献１】特許第３３２１０９８号公報
【発明の開示】
【発明が解決しようとする課題】
【０００４】
しかしながら、特許文献１に記載の折畳み式回転扉は、子扉および親扉の内側部に、カバー部材として半円筒状の外周面を有する中空召合せゴム体がそれぞれ張設され、各召合せゴム体の外方の半円筒状壁板の略中央部に、縦方向に形成されている突条は、回転扉が閉鎖されたときに、親扉の一側面（子扉との連結部側側面）に取り付けられる同様の召合せゴム体に形成された同様の突条と当接して係合するために両突条が損傷して痛み易く、また、建築物の開口部を閉止している状態では両突条が互いに当接させて係合しているので、一方側から指や治具を挿入してこじ開けるように動かすと、隙間が発生して覗かれることがある。したがって、病院、デパート、公衆用トイレ、その他の公共建築物のトイレ用のドアーに利用することができない。
【０００５】
従って、本発明が解決しようとする課題は、２つの扉の連結部に張設される、カバー部材は、回転扉が開閉されたときに、カバー部材の突条が損傷するようなことがなく、しかも両扉によって閉止状態にあるとき、対向して当接する両カバー材の間に指や治具を挿入されても隙間が発生しない回転折れ戸を提供することにある。
【課題を解決するための手段】
【０００６】
上記課題を解決するために請求項１に記載の発明は、第１の扉と第２の扉とが、一鉛直面に沿い相互に隣接して回動可能に連結されるとともに、該両扉の連結部分の近傍を中心に折畳み可能に構成され、縦長の扉連結用枠部材が前記第１の扉と第２の扉の連結側の縦辺に沿って取付けられ、該扉連結用枠部材の外側部に半円筒状の外周面を有するカバー部材が嵌め込まれる回転折れ戸において、前記各カバー部材の半円筒状外面には縦辺に沿って外部に突出する２つの突条が幅方向の中心位置から左右に非対称の位置に設けられ、前記第１の扉と第２の扉とが回動して開閉される動作状態においては前記各カバー部材の突条同士が非接触状態であり、また前記両扉が閉じられて一鉛直面に配置されている状態では一方のカバー部材の突条間の凹部に他方のカバー部材の突条が入り込み、互い違いの配置となって前記第１の扉と第２の扉間の隙間を閉塞するようにしたことを特徴とする回転折れ戸である。
【０００７】
また、請求項２に記載の発明は、前記カバー部材はゴムまたは樹脂等の弾力性のある素材により形成されている請求項１に記載の回転折れ戸である。
【発明の効果】
【０００８】
本発明の回転折れ戸によれば、第１の扉および第２の扉の連結側の縦辺に沿って取付けられる弾力性のあるカバー部材は、回転扉が回動して建築物の開口部が開閉される状態のときに、カバー部材の突条同士は非接触状態であるので、回転折れ戸の開閉動作によりカバー部材の突条が損傷するようなことはない。また、両扉が一鉛直面に配置されて建築物の開口部を閉止している状態では、カバー部材の突条間の凹部に他方のカバー部材の突条が入り込んでいるので、一方側（室外側）の一対の突条間に指や治具を挿入してこじ開けるように動かしても、他方側（室内側）の一対の突条が近接するように変形して隙間が発生しない。このため、一方側から他方側を覗かれることがなくて、特に病院、デパート、その他の公共建築物のトイレ用若しくは浴室用のドアーばかりでなく、公衆トイレ用のドアーに実用的に利用することができる。
【発明を実施するための最良の形態】
【０００９】
以下、図面に基づいて本発明の実施の形態を説明する。図１は、本実施形態における回転折れ戸を備えた扉設備全体の正面図、図２は、図１の実施形態における回転折れ戸の作用説明図である。
【００１０】
図１において、回転折れ戸の基本構造は、回転折れ戸３が、第１の扉５と第２の扉４との組合せからなり、これら第１の扉５と第２の扉４とが、それらの片側において折り畳み自在に連結されている。そして、これら両扉４、５が、建築物の開口部を構成する縦長の門型扉枠体２に取り付けられ、第２の扉４の一側が軸着されている。
【００１１】
そして、第１の扉５の自由端側を押したり引いて回動させると、第２の扉４が前記軸着点を支点にして回転し、第１の扉５も第２の扉の回転に伴って扉枠体２に設けられたレールに沿って走行しながら回転し、第１の扉５と第２の扉４とが、それらの連結部を手前側もしくはこれと反対側に突出させつつ、相互に折り畳まれて、第１の扉５が第２の扉４側に引き寄せられることにより、扉が開放されるようになっている。
【００１２】
扉枠体２は、左右の縦枠体８、８と、これら左右の縦枠体８、８に両端が固着されて一体化された上枠体９とからなっている。
【００１３】
縦枠体８は、図２に図示されているように、細長い内部折曲片８ａと外部折曲片８ｂとの間に柱部材８ｃを挟んだ構造に形成されていて、内部折曲片８ａは、その幅方向の先端が内方に直角にわずかに折曲され、底面が両側にわずかの幅を残して内方に窪まされた断面形状をなしている。そして、形成された凹部８ｄが、内方に向くようにして配置され、これら両縦枠体８、８の凹部８ｄに、第１の扉５および第２の扉４の幅方向、外方端面が、それぞれ部分的に受容されるようになっている。
【００１４】
また、上枠体９の下部には、吊りレール部材１０が取り付けられている。該吊りレール部材１０の下部の内面は幅方向の両側に所定幅の間隙を設けてレール１０ａ、１０ａが形成され、後述する第１の扉５の上面に固着された吊持軸３５が扉枠体２の左右幅方向に走行可能なように、レール１０ａ、１０ａ間には、レール１０ａ、１０ａの間隙による細長い開口１０ｂが形成されている。
【００１５】
また、吊りレール部材１０内には、扉枠体２の縦枠体８側の端部付近に両扉４、５が閉まるときに吊持軸３５を介して第１の扉５を移動させる移動体として吊持軸３５が固定された四輪の上吊車３６の一部にピストンロッド１９の先端１９ａが当接すると第１の扉５の閉止速度を減速するエアーダンパー１８が取付けられている。
【００１６】
第２の扉４は、本体部をなす扉部材１１の上面および下面に一端に円弧状の切り欠き４ｂを形成した横補強枠４ａ，４ａが固着され、その右側面には、第２の扉４を回転可能に支持する回転軸を収納する半円筒状の長尺なカバー部材１５が取付けられ、左側面に、半円筒状の長尺なカバー部材５０が取付けられている。カバー部材５０は、第２の扉４に連結される第１の扉５との間の隙間を閉塞するために取付けられるものである。
【００１７】
また、第１の扉５は、本体部をなす扉部材１２の上面および下面に一端に円弧状の切り欠き５ｂを形成した横補強枠５ａ，５ａが固着され、その右側面に、第１の扉５に連結される第２の扉４との間の隙間を閉塞する半円筒状の長尺なカバー部材５０が取付けられ、左側面には、第１の扉５を扉枠体２の縦枠体８に当接（または近接）させた際の隙間を閉塞する（または、狭くする）断面半円弧状の長尺なカバー部材１６が取付けられている。カバー部材１６内と、カバー部材１６に当接（または近接）する側の縦枠体８内には、それぞれ棒磁石１７が収納され、回転折れ戸３を閉じて、第１の扉５を扉枠体２の縦枠体８に当接させると、その状態を維持するように構成されている。第２の扉４の本体部をなす扉部材１１および第１の扉５の本体部をなす扉部材１２は、細長い長方形の平板形状をなしている。扉部材１１、１２は、金属製もしくは合成樹脂製とされるが、木質製とされる場合もある。
【００１８】
なお、扉部材１１の上面および下面に横補強枠４ａ，４ａを固着せずに、扉部材１１だけで第２の扉４を形成したり、同様に、扉部材１２の上面および下面に横補強枠５ａ，５ａを固着せずに、扉部材１２だけで第１の扉５を形成することもできる。
【００１９】
第２の扉４の本体部をなす扉部材１１の右側上端部には、垂直方向に回転軸を有するヒンジ３０が埋設して取付けられている。また、ヒンジ３０の上部は、扉枠体２の吊りレール部材１０にブラケット３１を介してネジにより固着されている。
【００２０】
また、扉部材１１の右側下端部には円筒状のヒンジ３２が埋設されている。ヒンジ３２の筒内には回転軸３３が嵌合されており、扉部材１１は、回転軸３３に回転自在に支持されている。回転軸３３は、図示しないスラストベアリングに植設されており、スラストベアリングは、扉枠体２の右側縦枠体８に取り付けられたＬ字状ブラケット３４の水平折曲部上に固着されている。したがって第２の扉４の荷重は、スラストベアリングの回転軸の植設面により受けられる。これにより第２の扉４は、扉枠体２の右端部に回転自在に支持されている。
【００２１】
第１の扉５の本体部をなす扉部材１２は、その幅方向中央付近の位置、丁度、第２の扉４の回転半径相当の位置において、その上面が扉枠体２の吊りレール部材１０に回転自在に吊持され、また、その右側の第２の扉４との連結部側上下端部が、第２の扉４の左側上下端部と相互に折り畳み自在に連結されて支持されることにより、扉枠体２に取り付けられている。
【００２２】
第１の扉５の上面が扉枠体２の吊りレール部材１０に回転自在に吊持される部分の構造は、次のようになっている。第１の扉５の本体部をなす扉部材１２の上面には、吊持軸３５が固着されて取り付けられている。吊持軸３５は、四輪の上吊車３６の台板３７の中央部に形成された軸受孔３８を貫通して、そこに抜け止めされて回転可能に支持されている。したがって、第１の扉５は、吊持軸３５を介して上吊車３６により吊持されるとともに、上吊車３６の軸受孔３８に支持されて、回転可能である。
【００２３】
上吊車３６は、その台板３７に回転自在に取り付けられた車輪３９が、レール１０ａ、１０ａ上を転動するので、このレール１０ａ、１０ａに沿って走行が可能である。その走行範囲は、回転扉３が閉鎖状態にあり、エアーダンパー１８にピストンロッド１９が収納されているときのピストンロッド１９の先端１９ａ近傍の位置から、回転扉３が完全に開放されたときの上枠体９の右端近傍の位置までである。
【００２４】
次に、第１の扉５の右側上下端部が、第２の扉４の左側上下端部と相互に折り畳み自在に連結される部分の構造を説明する。先ず、第１の扉５と第２の扉４を折畳み可能に連結する連結部材４０について説明する。連結部材４０は、平板状の連結板４１の片面から所定の間隔で２本の連結軸４２、４２が突出し、これら連結軸４２、４２に同一寸法の一対の歯車部材（図では、歯４５が半円周部に沿って形成された平歯車を採用している）４３、４３の軸孔４３ａが嵌合されて、一対の歯車部材４３、４３が回転可能に支持され、相互に噛み合うように構成されている。また、各歯車部材４３、４３には、連結板４１の軸孔４３ａを挟んで一対のネジ止め用の孔４３ｂ、４３ｂが設けられている。
【００２５】
第２の扉４の本体部をなす扉部材１１の連結側の縦辺に位置する左の側面と、第１の扉５の本体部をなす扉部材１２の連結側の縦辺に位置する右の側面には、扉部材１１、１２の縦辺の長さを有する縦長の金属性の扉連結用枠部材２０、２０が扉部材１１、１２の縦辺に沿って取り付けられている。
【００２６】
扉連結用枠部材２０、２０の外側部には、半円筒状の外周面を有するカバー部材５０、５０が嵌め込まれて張設されている。また、扉連結用枠部材２０、２０およびカバー部材５０、５０の上下の端面には、連結部材４０、４０が各一対の歯車部材４３、４３を扉連結用枠部材２０、２０に、それぞれ孔４３ｂ、４３ｂにネジを挿入して取り付けられいる。こうして連結部材４０、４０が扉連結用枠部材２０、２０の上下の端面に固定されることで、扉部材１１、１２は、これらに取付けられた扉連結用枠部材２０、２０を介して、第１の扉５の右側上下端部が、第２の扉４の左側上下端部に連結され、これにより第１の扉５と第２の扉４とが相互に折り畳み可能に構成されている。そして、これら連結部材４０、４０には、外観がメガネ型形状で、上面が開口した箱状の歯車カバー４６、４６が被せられて連結板４１にネジ止めにより取付けられている。
【００２７】
なお、この状態では、歯車部材４３、４３と扉連結用枠部材２０、２０との接合部はカバー部材５０、５０の上下の端面に接触しているが、メガネ型形状の歯車カバー４６、４６はカバー部材５０、５０の上下の端面との間に所定の間隙を有しており、第１の扉５と第２の扉４とが折り畳まれる際に歯車カバー４６は、カバー部材５０、５０および扉部材１１、１２と接触しないように配置されている。
【００２８】
次に、扉連結用枠部材２０とカバー部材５０との接合構造の実施例について、図３を参照してさらに詳細に説明する。
【実施例１】
【００２９】
図３は、本発明の実施例１の扉連結用枠部材２０とカバー部材５０の概略説明図である。扉連結用枠部材２０は金属または樹脂等により成形されたもので、外側に開口２１を有する断面コ字状の取付溝部２２を有しており、開口２１内に第２の扉４の扉部材１１（または、第１の扉５の扉部材１２）の連結側の縦辺に位置する側面が嵌め込まれ、ネジにより扉部材１１に取付けられている。取付溝部２２の開口２１の裏面には、扉連結用枠部材２０の幅方向の外側に高さの低い突条２３が設けられ、その内側に突条２３と略同じ高さの低い突条２４が設けられ、さらに内側に高さの高い突条２５が、間隔を空けて幅方向に対称に向かい合って、それぞれ１対ずつ並行して縦辺に沿って設けられている。
【００３０】
高い１対の突条２５、２５の間に位置する開口２１の裏面には、歯車部材４３と同芯で断面がＣ字状のリブ２６で形成された溝部２７が外側に開口２８を有して設けられている。一対の突条２５、２５の先端は、歯車部材４３を取付けるための一対のネジ止め用の孔４１ｂ，４１ｂを有する断面Ｃ字状のネジ受け部２６ａ，２６ａを形成してリブ２６の外側に接続されている。突条２５は、上記のネジ受け部２６ａの位置より先に伸びて、その先端は折り返されて、間隔を空けて低い突条２４との間に開口を有して向かい合うように設けられている。これにより、高い突条２５の一部を底面として、高い突条２５の折り返された先端部２５ａと低い突条２４とが係止壁を形成して外側に開口２４ａを有する溝状のフック受け部２９が縦辺に沿って長尺に形成されている。なお、突条２４と突条２５ａの先端部は、尖って外側に広がるテーパ状に形成されている。
【００３１】
カバー部材５０は、ゴムまたは樹脂等の弾力性のある素材により中空状に成形されたもので、内側に開口５１を有する略半円筒状であり、半円筒の内部には外周に沿って厚みを持たせたＣ字状の補強用リブ５２が形成されている。リブ５２の内面には、端部側に突条５３が設けられ、その内側に突条５４が、間隔を空けて中央付近から対称に、それぞれ１対ずつ設けられている。また、カバー部材５０の開口５１の内面の両端縁には、先端に係止部５５ａを有して半円筒の中心に向かって所定長さ突出した断面Ｔ字状のフック５５、５５が、長尺に設けられている。カバー部材５０の半円筒状外面には、断面円弧状をした中空な２つの突条５７ａ，５７ｂが幅方向の中心位置Ａから左右に非対称位置に縦辺に沿って外部に突出して設けられている。カバー部材５０における突条５７ａと５７ｂの間隔は、突条５７ａ，５７ｂの個々の幅より大きく離れて配置されている。
【００３２】
扉連結用枠部材２０のフック受け部２９、２９にカバー部材５０のフック５５、５５を係合すると、図４（ａ）〜（ｃ）に示すようにカバー部材５０のＣ字状の補強用リブ５２の内面に設けた１対の突条５３、５３が扉連結用枠部材２０のＣ字状のリブ２６の外周面に当接し、この状態で１対の突条５４、５４がリブ２６の開口２８付近の両端部の外周面に当接し、フック受け部２９にフック５５が嵌合し、フック５５は突条２３により挿入できる位置が規制され、また、突条２４からなる係止壁と係止壁２５ａにより係止部５５ａが抜け止めされて、カバー部材５０はＣ字状のリブ２６に略同軸に固定され、半円筒の外周が１８０度を大きく超えた範囲が巻きついた状態で扉連結用枠部材２０に一体に接合されている。
【００３３】
次に、第１の扉５と第２の扉４の開閉動作において、カバー部材の各半円筒状外面の中心付近から左右に非対称に突出して縦辺に沿って長尺に設けられてた２本の突条５７ａ，５７ｂが第１の扉５と第２の扉４間の隙間を閉塞する態様について、図４（ａ），（ｂ），（ｃ）を参照して説明する。
【００３４】
図４（ａ），（ｂ），（ｃ）は、本発明の実施例１のカバー部材の突条同士が非接触状態で協同して第１の扉５と第２の扉４間の隙間を閉塞する動作を示す概略図である。図４（ａ）に示すように、回転折れ戸３が閉じられているときには、第１の扉５と第２の扉４のカバー部材５０、５０同士が向かい合って配置されている。第１の扉５と第２の扉４のカバー部材５０は同一形状であり、それぞれのカバー部材５０がの半円筒状外面には、断面円弧状をした２本の突条５７ａ，５７ｂが中心付近から左右に非対称に突出して縦辺に沿って長尺に設けられている。第１の扉５のカバー部材５０と第２の扉４のカバー部材５０のそれぞれの２本の突条５７ａ，５７ｂは、点対称に向かい合って配置されており、第１の扉５のカバー部材５０と第２の扉４のカバー部材５０の各突条５７ａ，５７ｂ同士は、互いに非接触状態で配置されている。
【００３５】
そして、回転折れ戸３が閉じられて両扉４，５が閉じられて一鉛直面に配置された状態では、一方のカバー部材５０の突条５７ａ，５７ｂ間の凹部５７ｃに他方のカバー部材５０の突条５７ａまたは５７ｂが入り込み、互い違いの配置となる。この状態では、各突条５７ａ，５７ｂ同士は非接触状態であり、第１の扉５と第２の扉４間の隙間Ｓが閉塞されている。
【００３６】
そして、第１の扉５と第２の扉４との連結部を押すことにより、回転折れ戸３が開くと、第１の扉５と第２の扉４は互いを連結する一対の歯車部材４３、４３の噛み合わせに従って、第２の扉４は、その本体部をなす扉部材１１の連結側の縦辺に位置する左の側面の扉連結用枠部材２０のＣ字状のリブ２６を中心に回動し、また、第１の扉５は、その本体部をなす扉部材１２の連結側の縦辺に位置する右の側面の扉連結用枠部材２０のＣ字状のリブ２６を中心に回動する。
【００３７】
このとき、第１の扉５のカバー部材５０と第２の扉４のカバー部材５０の各突条５７ａ，５７ｂ同士は、一対の歯車部材４３、４３と所定位相を維持して非接触状態であり、一方のカバー部材５０の突条５７ａ，５７ｂ間の凹部５７ｃに他方のカバー部材５０の突条５７ａまたは５７ｂが入り込み、互い違いの配置である。そして、回転折れ戸３が完全に折れた状態まで開くと、第１の扉５と第２の扉４は、その各突条５７ａ，５７ｂ同士が最も離反した位置で停止するが、各カバー部材５０における突条５７ａ，５７ｂは同じ配置となる。
【産業上の利用可能性】
【００３８】
本発明は前記実施例に限定されるものではなく、特許請求の範囲に記載された本発明を逸脱することがなければ、種々の設計変更が可能であり、前記実施例に限定されないことはいうまでもない。
【図面の簡単な説明】
【００３９】
【図１】本実施形態における回転折れ戸を備えた扉設備全体の正面図である。
【図２】図１の実施形態における回転折れ戸の作用説明図である。
【図３】実施例１の扉連結用枠部材２０とカバー部材５０の概略説明図である。
【図４】（ａ）（ｂ）（ｃ）は実施例１のカバー部材の突条同士が非接触状態を維持して第１の扉５と第２の扉４間の隙間が閉塞される動作を示す概略図である。
【符号の説明】
【００４０】
２  扉枠体
３  回転折れ戸
４  第２の扉
４ａ，５ａ  横補強枠
５  第１の扉
８  縦枠体
８ａ  内部折曲片
８ｂ  外部折曲片
８ｃ  柱部材
８ｄ  凹部
９  上枠体
１０  吊りレール部材
１０ａ  レール
１０ｂ  開口
１１，１２  扉部材
１５，１６，５０  カバー部材
１７  棒磁石
２０  扉連結用枠部材
２１，２４ａ，２８，５１  開口
２２  取付溝部
２３，２４，２５，５３，５４  突条
２５ａ  係止壁
２６  リブ
２６ａ  ネジ受け
２７  溝部
２９  フック受け部
３０，３２  ヒンジ
３１  ブラケット
３３  回転軸
３４  Ｌ字状ブラケット
３５  吊持軸
３６  上吊車
３７  台板
３８  軸受孔
３９  車輪
４０  連結部材
４１  連結板
４１ｂ，４３ｂ  孔
４２  連結軸
４３  歯車部材
４３ａ  軸孔
４５  歯
４６  歯車カバー
５２  補強用リブ
５５  フック
５５ａ  係止部
５７ａ，５７ｂ  突条
５７ｃ  凹部
Ａ  中心位置
【図１】
2006233417.tif 000003
【図２】
2006233417.tif 000004
【図３】
2006233417.tif 000005
【図４】
2006233417.tif 000006